(57)【要約】【課題】使用により厚みが減少した使用済の新聞オフセット印刷用ブランケットを再生して寿命を延長する。【解決手段】使用済の新聞オフセット印刷用ブランケットの裏面に液状樹脂を塗布して、この新聞オフセット印刷用ブランケットをブランケット胴に装着したときの装着厚みが、前記使用済の新聞オフセット印刷用ブランケットの新品時の装着厚みと等しくなるようにする。【選択図】図１
2019093605.tif 000002
【特許請求の範囲】
【請求項１】
使用済の新聞オフセット印刷用ブランケットを再生する新聞オフセット印刷用ブランケットの再生方法であって、
使用済の新聞オフセット印刷用ブランケットの裏面に粘度が５０Ｐａ・ｓ以下かつ硬化後の硬さがデュロメータＡで３０以下の液状樹脂である一液性のＲＴＶシリコーン樹脂を塗布して、この新聞オフセット印刷用ブランケットをブランケット胴に装着したときの装着厚みが、前記使用済の新聞オフセット印刷用ブランケットの新品時の装着厚みと等しくなるようにする、新聞オフセット印刷用ブランケットの再生方法。
【請求項２】
前記ＲＴＶシリコーン樹脂を前記使用済の新聞オフセット印刷用ブランケットの裏面のブランケット胴表面に接触する部分全面に塗布する、請求項１に記載の新聞オフセット印刷用ブランケットの再生方法。
【請求項３】
使用済の新聞オフセット印刷用ブランケットを再生する新聞オフセット印刷用ブランケットの再生装置であって、
使用済の新聞オフセット印刷用ブランケットの表面を載置して吸着保持する吸着テーブルを有するブランケット載置手段と、
前記ブランケット載置手段の上方に配置されたガントリ型直交ロボットと、
前記ガントリ型直交ロボットに設けられ、前記吸着テーブルに吸着保持された使用済の新聞オフセット印刷用ブランケットの裏面に液状樹脂を塗布する液状樹脂塗布手段と、
前記ガントリ型直交ロボットに設けられ、前記使用済の新聞オフセット印刷用ブランケットの裏面に塗布された液状樹脂を均す均し手段と、
使用済の新聞オフセット印刷用ブランケットの長手方向の一端に装着された取付部材を前記ブランケット載置手段に対して固定する固定手段と、
使用済の新聞オフセット印刷用ブランケットの長手方向の他端に装着された取付部材を前記ブランケット載置手段に対して固定するとともに前記長手方向に張力を付与する固定張力手段と、
を備える新聞オフセット印刷用ブランケットの再生装置。
【請求項４】
前記液状樹脂塗布手段は、使用済みの新聞オフセット印刷用ブランケットへの液状樹脂の浸み込み量、及び液状樹脂の硬化時の収縮量又は膨張量のデータに基づき、この新聞オフセット印刷用ブランケットをブランケット胴に装着したときの装着厚みが、前記使用済の新聞オフセット印刷用ブランケットの新品時の装着厚みと等しくなるような量の液状樹脂を塗布する、請求項３に記載の新聞オフセット印刷用ブランケットの再生装置。
【請求項５】
前記吸着テーブルは、使用済の新聞オフセット印刷用ブランケットの表面を真空吸着するための吸着孔を複数有し、各吸着孔の直径が０．５ｍｍ以上３ｍｍ以下である、請求項３又は４に記載の新聞オフセット印刷用ブランケットの再生装置。
【請求項６】
前記固定張力手段は弾性体を有し、この弾性体の弾性力により前記張力を付与する、請求項３から５のいずれかに記載の新聞オフセット印刷用ブランケットの再生装置。
【発明の詳細な説明】
【技術分野】
【０００１】
本発明は、使用済の新聞オフセット印刷用ブランケットを再生する新聞オフセット印刷用ブランケットの再生方法及び再生装置に関する。なお、本明細書では、「新聞オフセット印刷用ブランケット」のことを単に「ブランケット」ともいう。
【背景技術】
【０００２】
新聞などを印刷するオフセット印刷機（輪転機）では、通常、ブランケットを巻き付けて装着した２本のブランケット胴の間に紙を挟んで印圧をかけて印刷する。このとき、ブランケット胴（ブランケット）に適正な印圧がかかった時に適切な印刷周長になるように、２本のブランケット胴の間隔等が設定されている。
【０００３】
しかし、ブランケットはシート状基材（布層）上にゴム層（樹脂層）を積層した構造を有するため（例えば特許文献１参照）、使用時の印圧により特に基材（布層）にヘタリが生じて厚みが減少する。厚みの減少が所定の限度を超えると、印刷時に適正な印圧がかからなくなるので、新品のブランケットに交換する必要がある。
【０００４】
従来、ブランケットの裏面に裏張りシート（樹脂シート）を貼り付けて、厚みを増加させる方法はあったが（例えば特許文献２参照）、その全面に薄いシートを均一に貼り付けることは容易ではなかった。また、樹脂シートは平面で貼り付けるとブランケット胴に装着時曲げられるためしわになりやすく、曲げた状態で貼り付けても保管時は平面に伸ばしたり、より小さい曲率で巻いて保管するためしわが発生していた。一方。織布は貼り付け後に曲げ伸ばしてもしわになりにくいが、厚みの均一な薄い織布の製作が難しい問題があった。
【０００５】
さらに、商業オフセット輪転機（まれに新聞オフセット輪転機でも実施される）では、ブランケットの厚みが薄くなった際、ブランケットの裏面側ではなく、ブランケット胴側にシートを貼り付けて、厚みを増して印圧をかかりやすくしたりする作業も行われている事例はあるが、作業が煩雑となる問題があった。
【先行技術文献】
【特許文献】
【０００６】
【特許文献１】特開２０１５−１７１７７９号公報
【特許文献２】特開２０１１−８３９８５号公報
【発明の概要】
【発明が解決しようとする課題】
【０００７】
本発明が解決しようとする課題は、使用により厚みが減少した使用済の新聞オフセット印刷用ブランケットを再生して寿命を延長できる、新聞オフセット印刷用ブランケットの再生方法及び再生装置を提供することにある。
【課題を解決するための手段】
【０００８】
本発明の一観点によれば、次の新聞オフセット印刷用ブランケットの再生方法が提供される。
「使用済の新聞オフセット印刷用ブランケットを再生する新聞オフセット印刷用ブランケットの再生方法であって、
使用済の新聞オフセット印刷用ブランケットの裏面に粘度が５０Ｐａ・ｓ以下かつ硬化後の硬さがデュロメータＡで３０以下の液状樹脂である一液性のＲＴＶシリコーン樹脂を塗布して、この新聞オフセット印刷用ブランケットをブランケット胴に装着したときの装着厚みが、前記使用済の新聞オフセット印刷用ブランケットの新品時の装着厚みと等しくなるようにする、新聞オフセット印刷用ブランケットの再生方法。」
【０００９】
本発明の他の観点によれば、次の新聞オフセット印刷用ブランケットの再生装置が提供される。
「使用済の新聞オフセット印刷用ブランケットを再生する新聞オフセット印刷用ブランケットの再生装置であって、
使用済の新聞オフセット印刷用ブランケットの表面を載置して吸着保持する吸着テーブルを有するブランケット載置手段と、
前記ブランケット載置手段の上方に配置されたガントリ型直交ロボットと、
前記ガントリ型直交ロボットに設けられ、前記吸着テーブルに吸着保持された使用済の新聞オフセット印刷用ブランケットの裏面に液状樹脂を塗布する液状樹脂塗布手段と、
前記ガントリ型直交ロボットに設けられ、前記使用済の新聞オフセット印刷用ブランケットの裏面に塗布された液状樹脂を均す均し手段と、
使用済の新聞オフセット印刷用ブランケットの長手方向の一端に装着された取付部材を前記ブランケット載置手段に対して固定する固定手段と、
使用済の新聞オフセット印刷用ブランケットの長手方向の他端に装着された取付部材を前記ブランケット載置手段に対して固定するとともに前記長手方向に張力を付与する固定張力手段と、
を備える新聞オフセット印刷用ブランケットの再生装置。」
【００１０】
ここで本発明では、ブランケットの厚みとして「装着厚み」を基準としている。この装着厚みとは、ブランケットをブランケット胴に装着したときの厚みのことである。ブランケットは張力をかけながらブランケット胴に巻き付けて装着するので、その装着厚みは、装着前の初期厚みより小さくなるが、実際の印刷時の厚みは装着厚みであるので、本発明では装着厚みを基準としている。
【発明の効果】
【００１１】
本発明の再生方法によれば、使用済のブランケットの装着厚みが新品時の装着厚みと等しくなるように再生するため、この再生したブランケットをオフセット印刷機で使用したときに新品時と同様に良好な印刷を行うことができ、その結果、ブランケットの寿命を延長できる。すなわち、本発明において「新品時の装着厚みと等しくなるようにする」ことの技術的意義は、再生したブランケットをオフセット印刷機で使用したときに新品時と同様に良好な印刷を行うことができるようにすることにあり、この点から、「新品時の装着厚みと等しくなるようにする」は厳密に解釈すべきではなく、装着厚みの誤差（僅かな変動）も含めて上述の技術的意義を達成できる程度に「新品時の装着厚みと実質的に（ほぼ）等しくなるようにする」ということである。
また、本発明の再生装置によれば、上述の本発明の再生方法を容易かつ確実に実行できる。
【図面の簡単な説明】
【００１２】
【図１】本発明の再生装置の一実施形態を示す平面図。
【図２】図１の再生装置における固定手段を拡大して示す正面図。
【図３】図１の再生装置における固定張力手段を拡大して示し、（ａ）は平面図、（ｂ）は正面図。
【発明を実施するための形態】
【００１３】
本発明で再生するブランケットの構造自体は従来と変わりなく、シート状基材上にゴム層（樹脂層）を積層した構造を有する。そして、再生時には、使用済のブランケットの裏面（シート状基材の裏面）に液状樹脂を均一に塗布する。このとき、この液状樹脂を塗布した使用済のブランケットの装着厚みが、当該使用済のブランケットの新品時の装着厚みと等しくなるように、液状樹脂の材質、厚み（塗布量）等を選択・調整する。
【００１４】
使用可能な液状樹脂としては、エポキシ樹脂、ウレタン樹脂、シリコーン樹脂等が挙げられるが、本発明の再生方法では、作業性の良い一液タイプであること、粘度が低く塗布後の均しにより均一な厚みになりやすいこと、塗布面であるブランケットの裏面（基材（布層））に浸み込みはがれにくいこと、硬化後の硬さが局所的な厚みの変化を吸収しやすい程度であること等の条件から、粘度が５０Ｐａ・ｓ以下かつ硬化後の硬さがデュロメータＡで３０以下の液状樹脂である一液性のＲＴＶ（room temperature vulcanization）シリコーン樹脂を使用する。
【００１５】
ブランケット表面は印刷終了後、付着したインクや紙粉を除去するために洗浄するが、洗浄液がブランケットの端面より裏面に進入しブランケット裏面に浸み込むことにより、ブランケット裏面の基材が膨潤したり劣化するおそれがある。ブランケット再生時、防水・防油機能のある液状樹脂、例えば上述のＲＴＶシリコーン樹脂をブランケット裏面のブランケット胴表面に接触する部分全面に塗布することにより、洗浄液のブランケット裏面への浸み込みを防止することができる。
【００１６】
次に、図面を参照しつつ本発明の再生装置の一実施形態について説明する。
図１は本発明の再生装置の一実施形態を示す平面図である。図１に示す再生装置は、ブランケット載置手段１０、ガントリ型直交ロボット２０、液状樹脂塗布手段３０、均し手段４０、固定手段５０及び固定張力手段６０を備えている。
【００１７】
ブランケット載置手段１０はブランケットの表面を載置して吸着保持する吸着テーブル１１を有する。この実施形態において吸着テーブル１１はブランケットの表面を真空吸着するための吸着孔１１ａを複数有する。各吸着孔１１ａの直径（孔径）は、印刷時紙面と接触するブランケットの表面（ゴム層）に真空吸着時の大きな変形が生じないようにする点から、０．５ｍｍ以上３ｍｍ以下とすることが好ましく、１ｍｍ以上２ｍｍ以下とすることがより好ましい。また、各吸着孔１１ａは吸着テーブル１１に均等に配置することが好ましい。
【００１８】
ガントリ型直交ロボット２０はブランケット載置手段１０の上方に配置されている。この実施形態においてガントリ型直交ロボット２０は２本のＸ方向ビーム２１と１本のＹ方向ビーム２２とを有し、Ｙ方向ビーム２２がＸ方向ビーム２１に沿ってＸ方向に移動可能である。
【００１９】
液状樹脂塗布手段３０はガントリ型直交ロボット２０に設けられている。この実施形態において液状樹脂塗布手段３０はガントリ型直交ロボット２０のＹ方向ビーム２２側に設けられ、Ｙ方向ビーム２２に沿ってＹ方向に移動可能である。これにより、液状樹脂塗布手段３０はブランケット載置手段１０の上方においてＸＹ方向（直交方向）に自在に移動可能となっている。
この実施形態において液状樹脂塗布手段３０は所定量の液状樹脂を吐出するノズルにより直線状に塗布する方式としている、ただし、液状樹脂塗布手段３０はスプレーを使用してより広い面で塗布する方式、ローラや刷毛を使用して塗布する方式とすることもできる。
【００２０】
均し手段４０はガントリ型直交ロボット２０に設けられている。この実施形態において液状樹脂塗布手段３０はガントリ型直交ロボット２０のＹ方向ビーム２２側に設けられ、Ｙ方向ビーム２２と共にＸ方向ビーム２１に沿ってＸ方向に移動可能である。
この実施形態において均し手段４０は上下方向に移動可能な均しブレードを使用してブランケットの裏面に塗布された液状樹脂を均す方式としている。ただし、均し手段４０はローラや刷毛等を使用してブランケットの裏面に塗布された液状樹脂を均す方式とすることもできる。
【００２１】
固定手段５０は、ブランケットＢの長手方向の一端に装着された取付部材Ｂ１をブランケット載置手段１０（吸着テーブル１１）に対して固定する。この実施形態において固定手段５０は図２に示しているようにトグルクランプ方式としており、取付部材Ｂ１の一端を吸着テーブル１１の端部の段差１１ｂに突き当てた状態で、取付部材Ｂ１をブランケット載置手段１０（吸着テーブル１１）に対して固定するようにしている。ただし、固定手段５０はトグルクランプ方式以外の方式とすることもできる。要するに取付部材Ｂ１をブランケット載置手段１０（吸着テーブル１１）に対して固定することができるものであればよい。なお、取付部材Ｂ１の形状は図２とは異なる場合もあるが、この場合、固定手段５０は取付部材Ｂ１の形状に応じて適宜設計変更すればよい。
【００２２】
固定張力手段６０は、ブランケットＢの長手方向の他端に装着された取付部材Ｂ２をブランケット載置手段１０に対して固定するとともに、このブランケットの長手方向に張力を付与する。この実施形態において固定張力手段６０は図３に示しているように弾性体（コイルバネ）６１を有するトグルクランプ方式としており、取付部材Ｂ２にクランプ６２を引っ掛けて引っ張ることで取付部材Ｂ２をブランケット載置手段１０（吸着テーブル１１）に対して固定する。このとき、ブランケットの長手方向の一端に装着された取付部材Ｂ１はブランケット載置手段１０（吸着テーブル１１）に対して固定されているので、固定張力手段６０の弾性体６１の弾性力により、このブランケットには長手方向に引っ張る張力が付与される。
なお、固定張力手段６０は図３のような弾性体（コイルバネ）６１を有するトグルクランプ方式以外の方式とすることもでき、弾性体を有しないトグルクランプ方式とすることもできる。だたし、ブランケットの長手方向の長さの製造誤差を吸収しつつ取付部材Ｂ２を適切に固定し張力を付与する点から、固定張力手段は弾性体を有するものとすることが好ましい。
なお、取付部材Ｂ２の形状は図３とは異なる場合もあるが、この場合、固定張力手段６０は取付部材Ｂ２の形状に応じて適宜設計変更すればよい。
【００２３】
このようにブランケットの長手方向の一端に装着された取付部材Ｂ１をブランケット載置手段１０（吸着テーブル１１）に対して固定し、かつブランケットの長手方向の他端に装着された取付部材Ｂ２をブランケット載置手段１０（吸着テーブル１１）に対して固定するとともにこのブランケットの長手方向に張力を付与することで、ブランケットのブランケット胴への装着時に曲げられて湾曲する部分の浮きを防止することができる。
【００２４】
次に、この実施形態の再生装置によるブランケットの再生方法を説明する。
まず、ブランケット載置手段１０の吸着テーブル１１上にブランケットの表面を下側にして、取付部材Ｂ１，Ｂ２がついた両端を吸着テーブル１１の長手方向の両端に合うように配置する。そして、一端側の取付部材Ｂ１は吸着テーブル１１の端部の段差１１ｂに突き当てクランプ方式の固定手段５０で固定し（図２参照）、他端側の取付部材Ｂ２は弾性体（コイルバネ）６１で引っ張るクランプ方式の固定張力手段６０でこの取付部材Ｂ２を引っ掛けて引っ張る方法で固定するとともにこのブランケットの長手方向に張力を付与する。その後、ブランケットの表面を吸着テーブル１１上に吸着保持する。
【００２５】
続いて、ブランケットの長手方向の一端側から一定の距離に液状樹脂塗布手段３０を移動させて、長手方向に直角な方向（幅方向）に直線状に一定面積当たり指定した塗布量となるように液状樹脂を塗布する。さらに、塗布領域全体で目的の厚みになるように、前の塗布量に応じて一定距離長手方向に移動した位置で塗布を繰り返して塗布領域全体に等間隔に直線状に液状樹脂を塗布する。
ここで、液状樹脂の総塗布量は、この使用済のブランケットの裏面（布層）への液状樹脂の浸み込み量、及び液状樹脂の硬化時の収縮量又は膨張量のデータに基づき、この再生後のブランケットをブランケット胴に装着したときの装着厚みが、前記使用済のブランケットの新品時の装着厚みと等しくなるような量とする。すなわち、上述の浸み込み量、及び収縮量又は膨張量のデータは事前の試験により予め取得しておき、これらのデータに基づき、液状樹脂の総塗布量を設定する。
【００２６】
液状樹脂塗布手段３０による液状樹脂の塗布が完了したら、再生後のブランケットの総厚みが指定した所望の厚みで、ブランケットの液状樹脂塗布領域の全面にわたって均一な厚みとなるように、ブランケットの表面から一定の高さとなるように設定された均し手段４０（均しブレード）で均してから自然硬化させる。均しブレードの高さは、液状樹脂の硬化後の容積変化（上述の収縮量又は膨張量のデータ）を考慮して決める。
以上により使用済のブランケットが再生される。
【実施例】
【００２７】
使用済のブランケットとして、新品時の装着厚みが平均値で２．０３ｍｍ（装着前の初期厚みは２．０９ｍｍ）であったブランケットをブランケット胴に装着し印圧をかけて印刷し続けた結果、ヘタリが発生して装着厚みが平均値で２．００ｍｍまで減少したブランケットを図１の再生装置を使用して再生した。なお、ブランケットのヘタリ発生の時期については、印圧の程度、印刷部数等によって様々である。
【００２８】
具体的には、この使用済のブランケットをブランケット胴から取り外し、その裏面にブランケットを含む総厚みが２．０５ｍｍの厚みになるように、粘度が５０Ｐａ・ｓ以下かつ硬化後の硬さがデュロメータＡで３０以下の液状樹脂であるＲＴＶシリコーン樹脂を図１の再生装置にて塗布し再生した。この再生後のブランケットを新聞オフセット印刷機のブランケット胴に巻き付けて装着した結果、その装着厚みは新品時の装着厚みと等しくなった。この再生後のブランケットを新聞オフセット印刷機で使用したところ、新品時と同様に良好な印刷を行うことができた。
【符号の説明】
【００２９】
１０  ブランケット載置手段
１１  吸着テーブル
１１ａ  吸着孔
２０  ガントリ型直交ロボット
２１  Ｘ方向ビーム
２２  Ｙ方向ビーム
３０  液状樹脂塗布手段
４０  均し手段
５０  固定手段
６０  固定張力手段
６１  弾性体
６２  クランプ
【図１】
2019093605.tif 000003
【図２】
2019093605.tif 000004
【図３】
2019093605.tif 000005